(57)【要約】【課題】保守点検を容易に実施することのできる断路器を収納した金属閉鎖形スイッチギヤを提供する。【解決手段】固定電極４と、固定電極４に回動して接離する可動電極５と、を有する断路器６を箱体１内の断路器室１ａに収納する金属閉鎖形スイッチギヤであって、固定電極４と可動電極５にそれぞれ導体１２、１４を介して接触子１３、１５を接続し、盤壁１８に接触子１３、１５と接離する主回路断路部１６、１７を設け、断路器６を車輪９を有する移動架台１０に固定して移動自在とし、主回路断路部１６、１７と接続、断路させることを特徴とする。【選択図】  図１
2013162657.tif 000002
【特許請求の範囲】
【請求項１】
固定電極と、
前記固定電極に接離する可動電極と、
を有する断路器を箱体内に収納する金属閉鎖形スイッチギヤであって、
前記固定電極と前記可動電極にそれぞれ接触子を接続し、
前記箱体側に前記接触子と接離する主回路断路部を設け、
前記断路器に前記主回路断路部と接続、断路する移動手段を設けたことを特徴とする金属閉鎖形スイッチギヤ。
【請求項２】
前記移動手段は、前記断路器を固定する固定板と、
前記固定板を固定した車輪を有する移動架台とで構成されることを特徴とする請求項１に記載の金属閉鎖形スイッチギヤ。
【請求項３】
前記移動手段は、前記断路器を固定する上部板と、
前記上部板に固定された移動部材と、
前記移動部材が移動する前記箱体側に設けられたレールとで構成されることを特徴とする請求項１に記載の金属閉鎖形スイッチギヤ。
【請求項４】
前記断路器を背面固定タイプとしたことを特徴とする請求項１乃至請求項３のいずれか１項に記載された金属閉鎖形スイッチギヤ。
【請求項５】
前記断路器を吊下げタイプとしたことを特徴とする請求項１乃至請求項３のいずれか１項に記載された金属閉鎖形スイッチギヤ。
【発明の詳細な説明】
【技術分野】
【０００１】
本発明の実施形態は、断路器の保守点検を容易にし得る金属閉鎖形スイッチギヤに関する。
【背景技術】
【０００２】
従来、主回路を接続、断路する断路器は、金属閉鎖形スイッチギヤの盤内に固定され使用されている（例えば、特許文献１参照）。
【０００３】
一方、断路器を保守点検するときには、盤内の狭い空間での作業となり、例えば、回転部分への注油、ボルトの増締めなどの作業を困難としていた。断路器には主回路を確実に接続、断路させる責務があり、この性能を維持するための保守点検を容易に行えるものが望まれていた。
【先行技術文献】
【特許文献】
【０００４】
【特許文献１】特開平３−２４５７０４号公報
【発明の概要】
【発明が解決しようとする課題】
【０００５】
本発明が解決しようとする課題は、保守点検を容易に実施することのできる断路器を収納した金属閉鎖形スイッチギヤを提供することにある。
【課題を解決するための手段】
【０００６】
上記課題を解決するために、実施形態の金属閉鎖形スイッチギヤは、固定電極と、前記固定電極に接離する可動電極と、を有する断路器を箱体内に収納する金属閉鎖形スイッチギヤであって、前記固定電極と前記可動電極にそれぞれ接触子を接続し、前記箱体側に前記接触子と接離する主回路断路部を設け、前記断路器に前記主回路断路部と接続、断路する移動手段を設けたことを特徴とする。
【図面の簡単な説明】
【０００７】
【図１】本発明の実施例１に係る金属閉鎖形スイッチギヤの構成を示す要部側面図。
【図２】本発明の実施例２に係る金属閉鎖形スイッチギヤの構成を示す要部側面図。
【図３】本発明の実施例３に係る金属閉鎖形スイッチギヤの構成を示す要部側面図。
【図４】本発明の実施例４に係る金属閉鎖形スイッチギヤの構成を示す要部側面図。
【図５】本発明の実施例４に係る金属閉鎖形スイッチギヤの構成を示す要部断面図。
【発明を実施するための形態】
【０００８】
以下、図面を参照して本発明の実施例を説明する。
【実施例１】
【０００９】
先ず、本発明の実施例１に係る金属閉鎖形スイッチギヤを図１を参照して説明する。図１は、本発明の実施例１に係る金属閉鎖形スイッチギヤの構成を示す要部側面図である。
【００１０】
図１に示すように、箱体１内は、正面側上段の断路器室１ａ、正面側下段の遮断器室１ｂ、背面側の受電室１ｃに分かれて構成されている。断路器室１ａ、遮断器室１ｂには、それぞれ開閉自在の上段扉２、下段扉３が設けられている。
【００１１】
断路器室１ａには、固定電極４と、この固定電極４に回動して一方端が接離する可動電極５を有する断路器６が、それぞれの電極４、５を正面側に向けて設けられている。断路器６は、垂直配置された固定板７に固定される背面固定タイプである。固定板７は、中段の床面８を車輪９で移動自在に移動する移動架台１０に固定されている。移動架台１０には、正面側に把手１１が設けられている。
【００１２】
固定電極４には、上部導体１２が接続され、先端に上部接触子１３が設けられている。可動電極５の他方端には、下部導体１４が接続され、先端に下部接触子１５が設けられている。下部導体１４は、三相とも所定の絶縁距離を保って、固定板７に設けた貫通孔を貫通している。上部接触子１３、下部接触子１５に対向し、これに接離する上部主回路断路部１６、下部主回路断路部１７が盤壁１８にそれぞれ固定されている。
【００１３】
受電室１ｃには、上部主回路断路部１６に接続された上部主回路導体１９が設けられ、図示しない変流器や電源ケーブルなどに接続されている。また、下部主回路断路部１７には、下部主回路導体２０が接続され、遮断器室１ｂに収納された遮断器などの負荷側機器２１に接続されている。なお、可動電極５は、図示しないモータで回動するようになっている。
【００１４】
これにより、断路器６は、中段の床面８を移動し、主回路断路部１６、１７と接続、断路させることができる。即ち、断路器６に、主回路導体１９、２０と接続、断路させる主回路断路部１６、１７を設けるものである。このため、保守点検時には、上段扉２を開放し、把手１１を持って引出し、図示しないリフターなどの運搬機器で断路器６を箱体１外に搬出することができる。
【００１５】
ここで、床面８上を移動する移動部材の車輪９を有する移動架台１０を、断路器６に設けた移動手段と称する。
【００１６】
上記実施例１の金属閉鎖形スイッチギヤによれば、断路器６に主回路導体１９、２０と接続、断路させる移動手段を設けているので、断路器６を箱体１外に搬出することができ、保守点検を容易に行うことができる。
【実施例２】
【００１７】
次に、本発明の実施例２に係る金属閉鎖形スイッチギヤを図２を参照して説明する。図２は、本発明の実施例２に係る金属閉鎖形スイッチギヤの構成を示す要部側面図である。なお、この実施例２が実施例１と異なる点は、断路器の配置である。図２において、実施例１と同様の構成部分においては、同一符号を付し、その詳細な説明を省略する。
【００１８】
図２に示すように、断路器６は、固定電極４と可動電極５を下方向に向けた吊下げタイプであり、上側が水平配置された上部板２２に固定されている。上部板２２は、正面板２３で移動架台１０に固定されている。
【００１９】
なお、断路器６を固定する上部板２２と、これを固定する正面板２３は、実施例１の固定板に相当するものである。
【００２０】
上記実施例２の金属閉鎖形スイッチギヤによれば、吊下げタイプの断路器６においても、実施例１と同様の効果を得ることができる。
【実施例３】
【００２１】
次に、本発明の実施例３に係る金属閉鎖形スイッチギヤを図３を参照して説明する。図３は、本発明の実施例３に係る金属閉鎖形スイッチギヤの構成を示す要部側面図である。なお、この実施例３が実施例２と異なる点は、断路器の移動方法である。図３において、実施例２と同様の構成部分においては、同一符号を付し、その詳細な説明を省略する。
【００２２】
図３に示すように、断路器６を固定している上部板２２には、上部に車輪９を設け、箱体１の天井側の奥行方向に設けられたＬ字状が対向したレール２４内を移動するようになっている。
【００２３】
ここで、レール２４内を移動する移動部材の車輪９を設けた上部板２２を、断路器６に設けた移動手段と称する。
【００２４】
上記実施例３の金属閉鎖形スイッチギヤによれば、実施例２と同様の効果を得ることができる。
【実施例４】
【００２５】
次に、本発明の実施例４に係る金属閉鎖形スイッチギヤを図４、図５を参照して説明する。図４は、本発明の実施例４に係る金属閉鎖形スイッチギヤの構成を示す要部側面図、図５は、本発明の実施例４に係る金属閉鎖形スイッチギヤの構成を示す正面側から見た要部断面図である。なお、この実施例４が実施例３と異なる点は、断路器の移動方法である。図４、図５において、実施例３と同様の構成部分においては、同一符号を付し、その詳細な説明を省略する。
【００２６】
図４、図５に示すように、断路器６を固定している上部板２２には、天井側に移動板２５を設けている。箱体１の奥行方向には、コ字状の一対のレール２６を設け、レール２６内を移動板２５が移動するようになっている。これは、軽量の断路器６に適する。
【００２７】
ここで、レール２６内を移動する移動部材の移動板２５を設けた上部板２２を、断路器６に設けた移動手段と称する。
【００２８】
上記実施例４の金属閉鎖形スイッチギヤによれば、実施例３と同様の効果を得ることができる。
【００２９】
以上述べたような実施形態によれば、断路器本体に主回路断路部と接離する接触子を設け、移動自在としているので、断路器を盤外に搬出することができ、保守点検を容易に行うことができる。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１  箱体
１ａ  断路器室
１ｂ  遮断器室
１ｃ  受電室
２、３  扉
４  固定電極
５  可動電極
６  断路器
７  固定板
８  床面
９  車輪
１０  移動架台
１１  把手
１２  上部導体
１３、１５  接触子
１４  下部導体
１６、１７  主回路断路部
１８  盤壁
１９、２０  主回路導体
２１  負荷側機器
２２  上部板
２３  正面板
２４、２６  レール
２５  移動板
【図１】
2013162657.tif 000003
【図２】
2013162657.tif 000004
【図３】
2013162657.tif 000005
【図４】
2013162657.tif 000006
【図５】
2013162657.tif 000007